(57)【要約】  本発明の一態様の採光部材は、光透過性を有する複数の基材と、光透過性を有し、各基材の第１面上に直線状に延在するとともに前記基材ごとに延在方向が異なる複数の採光部と、前記複数の採光部の間に設けられた空隙部と、を有し、前記複数の基材が、前記基材の端辺に対して角度θ１で傾斜する第１の採光部を有する第１の基材、あるいは、前記端辺に対して角度θ２で傾斜する第２の採光部を有する第２の基材を少なくとも有する。
2017061554.tif 000002
【特許請求の範囲】
【請求項１】
光透過性を有する複数の基材と、
光透過性を有し、各基材の第１面上に直線状に延在するとともに前記基材ごとに延在方向が異なる複数の採光部と、
前記複数の採光部の間に設けられた空隙部と、を有し、
前記複数の基材が、
前記基材の端辺に対して第１の角度θ１で傾斜する第１の採光部を有する第１の基材、あるいは、前記端辺に対して第２の角度θ２で傾斜する第２の採光部を有する第２の基材を少なくとも有する、採光部材。
【請求項２】
前記第１の基材を複数有し、
前記複数の第１の基材が有する各々の前記第１の採光部どうしは、互いに異なる前記第１の角度θ１で傾斜している、請求項１に記載の採光部材。
【請求項３】
前記第２の基材を複数有し、
前記複数の第２の基材が有する各々の前記第２の採光部どうしは、互いに異なる前記第２の角度θ２で傾斜している、請求項１または２に記載の採光部材。
【請求項４】
前記第１の基材、前記第１の基材及び前記第２の基材が前記端辺に交差する方向へ配列されている請求項１から３のいずれか一項に記載の採光部材。
【請求項５】
前記第１の基材、前記第１の基材及び前記第２の基材が前記端辺に平行する方向へ配列されている請求項１から４のいずれか一項に記載の採光部材。
【請求項６】
前記基材の端辺に平行する第３の採光部を有する第１の基材をさらに備える、請求項１から５のいずれか一項に記載の採光部材。
【請求項７】
光透過性を有する基材と、
光透過性を有し、前記基材の第１面上に直線状に延在する複数の採光部と、
前記複数の採光部の間に設けられた空隙部と、を有し、
前記第１面は、
前記基材の端辺に対して第１の角度θ１で傾斜する第１の採光部を有する第１領域、あるいは、前記端辺に対して第２の角度θ２で傾斜する第２の採光部を有する第２領域と、を少なくとも有する、採光部材。
【請求項８】
前記第１領域を複数有し、
前記複数の第１領域が有する各々の前記第１の採光部どうしは、互いに異なる前記第１の角度θ１で傾斜している、請求項７に記載の採光部材。
【請求項９】
前記第２領域を複数有し、
前記複数の第２領域が有する各々の前記第２の採光部どうしは、互いに異なる前記第２の角度θ２で傾斜している、請求項７または８に記載の採光部材。
【請求項１０】
前記第１領域及び前記第２領域が前記端辺に交差する方向へ配列されている請求項７から９のいずれか一項に記載の採光部材。
【請求項１１】
前記第１領域及び前記第２領域が前記端辺に平行する方向へ配列されている請求項７から９のいずれか一項に記載の採光部材。
【請求項１２】
光透過性を有する基材と、
光透過性を有し、前記基材の第１面上に直線状に延在する複数の採光部と、
前記複数の採光部の間に設けられた空隙部と、を有し、
前記第１面は、
前記基材の端辺に対して第１の角度θ１で傾斜する第１の採光部を有する複数の第１領域、あるいは、前記端辺に対して第２の角度θ２で傾斜する第２の採光部を有する複数の第２領域を有し、前記第１領域あるいは前記第２領域が一方向に複数ずつ存在する、採光部材。
【請求項１３】
前記第１領域及び前記第２領域が一方向に交互に繰り返し存在する、請求項１２に記載の採光部材。
【請求項１４】
前記基材の端辺に平行する第１の採光部を有する複数の第３領域をさらに有する、請求項６から１３のいずれか一項に記載の採光部材。
【請求項１５】
前記第１の角度θ１が０°≦θ１≦３０°の範囲内とされ、
前記第２の角度θ２が−３０°≦θ２＜０°の範囲内とされている請求項１から１４のうちのいずれか一項に記載の採光部材。
【請求項１６】
前記第１の採光部及び前記第２の採光部は、これらの配置方向に交差する方向に対して対称的に傾斜している請求項１から１５のうちのいずれか一項に記載の採光部材。
【請求項１７】
前記端辺が前記基材の長手方向に沿う一辺である請求項１から１６のうちのいずれか一項に記載の採光部材。
【請求項１８】
請求項１に記載の採光部材の製造方法であって、
ロール・トゥ・ロール法を用いて製造された原反ロールから、複数の前記第３の採光部、複数の前記第１の採光部及び複数の前記第２の採光部ごとにそれぞれ切り出す、採光部材の製造方法。
【請求項１９】
請求項７に記載の採光部材の製造方法であって、
ロール・トゥ・ロール法を用いて製造された原反ロールから、複数の前記第１の採光部及び複数の前記第２の採光部ごとにそれぞれ切り出すことによって、前記第１の基材及び前記第２の基材を得る、採光部材の製造方法。
【請求項２０】
複数のスラットと、前記スラットの長手方向を水平方向に向けて前記複数のスラットを連結するとともに前記複数のスラットを鉛直方向に吊り下げる形態で支持する支持機構と、を有し、
前記複数のスラットは、請求項１から１７のうちのいずれか一項に記載の前記採光部材を有する、採光装置。
【請求項２１】
採光スクリーンと、
前記採光スクリーンを巻き取り自在にする巻取機構と、を備え、
前記採光スクリーンが、請求項１から１７のうちのいずれか一項に記載の前記採光部材を有する採光装置。
【請求項２２】
基材と、
前記基材の周縁を支持するフレームと、を備え、
前記基材の一面側に請求項１から１７のうちのいずれか一項に記載の前記採光部材を有する採光装置。
【発明の詳細な説明】
【技術分野】
【０００１】
本発明のいくつかの態様は、採光部材、採光部材の製造方法、採光装置に関するものである。
本願は、２０１５年１０月９日に、日本に出願された特願２０１５−２０１２１０号に基づき優先権を主張し、その内容をここに援用する。
【背景技術】
【０００２】
窓ガラスに入射する光を効率よく屋内に導くための技術として、例えば、基材の一面に複数のプリズム体からなる採光部などが形成された採光シートによって、窓ガラスに入射する光をプリズム体で光の進行方向を変えながら、屋内の天井や、側壁、床などに向けて照射することのできる採光装置が知られている（特許文献１）。
【先行技術文献】
【特許文献】
【０００３】
【特許文献１】特開２０１３−１５６５５４号公報
【発明の概要】
【発明が解決しようとする課題】
【０００４】
しかしながら、従来の採光装置においては、採光部におけるプリズムの溝が一方向に床面と平行に並んだ微細形状を有しており、プリズムの溝に対して垂直な方向への出射が強いため、窓の緯度、方位の違い又は太陽高度によっては、天井への採光性が低下したり、室内に居る人の目線に光が分配されてしまい、不快な眩しさを感じさせてしまったりすることがある。【０００５】
本発明の一つの態様は、上記従来技術の問題点に鑑み成されたものであって、特定方向に強いグレア光が射出されるのを抑制することのできる採光部材、採光部材の製造方法、採光装置を提供することを目的とする。
【課題を解決するための手段】
【０００６】
本発明の一態様における採光部材は、光透過性を有する複数の基材と、光透過性を有し、各基材の第１面上に直線状に延在するとともに前記基材ごとに延在方向が異なる複数の採光部と、前記複数の採光部の間に設けられた空隙部と、を有し、前記複数の基材が、前記基材の端辺に対して第１の角度θ１で傾斜する第１の採光部を有する第１の基材、あるいは、前記端辺に対して第２の角度θ２で傾斜する第２の採光部を有する第２の基材を少なくとも有する。【０００７】
本発明の一態様における採光部材において、前記第１の基材を複数有し、前記複数の第１の基材が有する各々の前記第１の採光部どうしは、互いに異なる前記第１の角度θ１で傾斜している構成としてもよい。【０００８】
本発明の一態様における採光部材において、前記第２の基材を複数有し、前記複数の第２の基材が有する各々の前記第２の採光部どうしは、互いに異なる前記第２の角度θ２で傾斜している構成としてもよい。【０００９】
本発明の一態様における採光部材において、前記第１の基材、前記第１の基材及び前記第２の基材が前記端辺に交差する方向へ配列されている構成としてもよい。【００１０】
本発明の一態様における採光部材において、前記第１の基材、前記第１の基材及び前記第２の基材が前記端辺に平行する方向へ配列されている構成としてもよい。【００１１】
本発明の一態様における採光部材において、前記基材の端辺に平行する第３の採光部を有する第１の基材をさらに備える構成としてもよい。【００１２】
本発明の一態様における採光部材は、光透過性を有する基材と、光透過性を有し、前記基材の第１面上に直線状に延在する複数の採光部と、記複数の採光部の間に設けられた空隙部と、を有し、前記第１面は、前記基材の端辺に対して第１の角度θ１で傾斜する第１の採光部を有する第１領域、あるいは、前記端辺に対して第２の角度θ２で傾斜する第２の採光部を有する第２領域と、を少なくとも有する。【００１３】
本発明の一態様における採光部材において、前記第１領域を複数有し、前記複数の第１領域が有する各々の前記第１の採光部どうしは、互いに異なる前記第１の角度θ１で傾斜している構成としてもよい。【００１４】
本発明の一態様における採光部材において、前記第２領域を複数有し、前記複数の第２領域が有する各々の前記第２の採光部どうしは、互いに異なる前記第２の角度θ２で傾斜している構成としてもよい。【００１５】
本発明の一態様における採光部材において、前記第１領域及び前記第２領域が前記端辺に交差する方向へ配列されている構成としてもよい。【００１６】
本発明の一態様における採光部材において、前記第１領域及び前記第２領域が前記端辺に平行する方向へ配列されている構成としてもよい。【００１７】
本発明の一態様における採光部材は、光透過性を有する基材と、光透過性を有し、前記基材の第１面上に直線状に延在する複数の採光部と、前記複数の採光部の間に設けられた空隙部と、を有し、前記第１面は、前記基材の端辺に対して第１の角度θ１で傾斜する第１の採光部を有する複数の第１領域、あるいは、前記端辺に対して第２の角度θ２で傾斜する第２の採光部を有する複数の第２領域を有し、前記第１領域あるいは前記第２領域が一方向に複数ずつ存在する。【００１８】
本発明の一態様における採光部材において、前記第２領域及び前記第３領域が一方向に交互に繰り返し存在する。【００１９】
本発明の一態様における採光部材において、前記基材の端辺に平行する第１の採光部を有する複数の第３領域をさらに有する構成としてもよい。【００２０】
本発明の一態様における採光部材において、前記第１の角度θ１が０°≦θ１≦３０°の範囲内とされ、前記第２の角度θ２が−３０°≦θ２＜０°の範囲内とされている構成としてもよい。【００２１】
本発明の一態様における採光部材において、前記第１の採光部及び前記第２の採光部は、これらの配置方向に交差する方向に対して対称的に傾斜している構成としてもよい。【００２２】
本発明の一態様における採光部材において、前記端辺が前記基材の長手方向に沿う一辺である構成としてもよい。【００２３】
本発明の一態様における採光部材の製造方法は、ロール・トゥ・ロール法を用いて製造された原反ロールから、複数の前記第１の採光部及び複数の前記第２の採光部ごとにそれぞれ切り出す。【００２４】
本発明の一態様における採光部材の製造方法は、ロール・トゥ・ロール法を用いて製造された原反ロールから、複数の前記第１の採光部及び複数の前記第２の採光部ごとにそれぞれ切り出すことによって、前記第１の基材、前記第１の基材及び前記第２の基材を得る、採光部材の製造方法。【００２５】
本発明の一態様における採光装置は、複数のスラットと、前記スラットの長手方向を水平方向に向けて前記複数のスラットを連結するとともに前記複数のスラットを鉛直方向に吊り下げる形態で支持する支持機構と、を有し、前記複数のスラットは、上記の前記採光部材を有する。【００２６】
本発明の一態様における採光装置は、採光スクリーンと、前記採光スクリーンを巻き取り自在にする巻取機構と、を備え、前記採光スクリーンが、上記の前記採光部材を有する。【００２７】
本発明の一態様における採光装置は、基材と、前記基材の周縁を支持するフレームと、を備え、前記基材の一面側に上記の前記採光部材を有する。
【発明の効果】
【００２８】
本発明のいくつかの態様によれば、特定方向に強いグレア光が射出されるのを抑制することのできる採光部材、採光部材の製造方法、採光装置を提供することができる。
【図面の簡単な説明】
【００２９】
【図１】第１実施形態のブラインドの外観を示す斜視図。
【図２】第１実施形態のブラインドを側方から見た図。
【図３Ａ】採光領域を構成する採光スラットの概略構成を示す正面図。
【図３Ｂ】採光領域を構成する採光スラットの概略構成を示す図であって、図３ＡのＡ−Ａ’線に沿う断面図。
【図４Ａ】採光シートの斜視図。
【図４Ｂ】採光シートの採光部の断面図。
【図５】各採光スラットにおける採光部の傾斜角度を示す図。
【図６Ａ】ブラインドの要部を拡大した斜視図であって、開状態を示す図。
【図６Ｂ】ブラインドの要部を拡大した斜視図であって、閉状態を示す図。
【図７】ブラインドが設置された部屋モデルの一例を示す模式図。
【図８】ブラインドの採光領域及び遮光領域の機能を説明するための斜視図。
【図９】採光スラットによる採光機能を説明するための図。
【図１０】窓ガラスに貼り付けるタイプの従来の採光シートによる室内への採光状態を示す図であって、天井側から見た図。
【図１１Ａ】従来の採光シートから射出される光の拡散状態（グレア光の発生状態）を示す図であって、室内側から見た図。
【図１１Ｂ】図１１ＡのＢ−Ｂ’線に沿う断面図。
【図１２】本発明の一態様に係るブラインドが設置された室内への採光状態を示す図であって、天井側から見た図。
【図１３】本発明の一態様に係るブラインドから射出される光の拡散状態（グレア光の発生状態）を示す図であって、室内側から見た図。
【図１４Ａ】採光スラットの変形例を示す第１の図。
【図１４Ｂ】採光スラットの変形例を示す第２の図。
【図１４Ｃ】採光スラットの変形例を示す第３の図。
【図１４Ｄ】採光スラットの変形例を示す第４の図。
【図１５Ａ】採光スラットの他の変形例を示す断面図であって、光拡散機能が別途付与された採光スラットの構造を示す第１の図。
【図１５Ｂ】採光スラットの他の変形例を示す断面図であって、光拡散機能が別途付与された採光スラットの構造を示す第２の図。
【図１６】第２実施形態のロールスクリーン（採光装置）の全体構成を示す斜視図。
【図１７】第２実施形態のロールスクリーンの全体構成を示す側面図。
【図１８Ａ】第２実施形態の採光スラットの構成を示す第１の図。
【図１８Ｂ】第２実施形態の採光スラットの構成を示す第２の図。
【図１９】第３実施形態のロールスクリーン（採光装置）の全体構成を示す斜視図。
【図２０Ａ】第３実施形態のロールスクリーンの全体構成を示す側面図。
【図２０Ｂ】図２０Ａ中の一点鎖線の丸印で囲んだ部分の拡大断面図。
【図２１】第４実施形態の採光パネル（採光装置）の全体構成を示す斜視図。
【図２２Ａ】第４実施形態の採光パネル本体の概略構成を示す正面図。
【図２２Ｂ】図２２ＡのＣ−Ｃ’線に沿う断面図。
【図２３Ａ】変形例として採光スラットの概略構成を示す平面図。
【図２３Ｂ】図２３ＡのＤ−Ｄ’線に沿う断面図。
【図２４Ａ】変形例として採光パネルの概略構成を示す平面図。
【図２４Ｂ】図２４ＡのＥ−Ｅ’線に沿う断面図。
【図２５】比較例として、上下方向に長さを有する採光部材を複数タイリングした際の平面図。
【図２６Ａ】第５実施形態の採光装置の概略構成を示す正面図。
【図２６Ｂ】第５実施形態の採光装置を室内の窓に設置した場合の採光イメージ図。
【図２７】第５実施形態の採光装置の変形例を示す図。
【図２８Ａ】従来の採光装置の構成を示す正面図。
【図２８Ｂ】従来の採光装置を室内の窓に設置した場合の採光イメージ図。
【図２９Ａ】第５実施形態の変形例を示す図。
【図２９Ｂ】変形例における採光装置を東向きの窓に設置した場合の採光イメージ図。
【図３０Ａ】採光シート１０Ａの製造方法を説明するための第１の図。
【図３０Ｂ】採光シート１０Ａの製造方法を説明するための第２の図。
【図３０Ｃ】採光シート１０Ａの製造方法を説明するための第３の図。
【図３１Ａ】採光シート１０Ｂを得るための図。
【図３１Ｂ】採光シート１０Ｃを得るための図。
【図３１Ｃ】得られた採光シート１０Ｂ，１０Ｃを示す図。
【図３２】採光シート１０Ｂにおける採光形状の傾き（°）と、長手方向長さ（ｍｍ）との関係を示すグラフ。
【図３３】採光装置および照明調光システムを備えた部屋モデルであって、図３４のＪ−Ｊ’線に沿う断面図。
【図３４】部屋モデルの天井を示す側面図。
【発明を実施するための形態】
【００３０】
以下、本発明の実施形態につき、図面を参照して説明する。
なお、以下の説明に用いる各図面では、各部材を認識可能な大きさとするため、各部材の縮尺を適宜変更している。
また、以下の説明において、採光装置の位置関係（上下、左右、前後）については、採光装置の使用時における位置関係（上下、左右、前後）に基づくものとし、特に説明がない限りは、図面においても、採光装置の位置関係は、紙面に対する位置関係と一致するものとする。
【００３１】
［第１実施形態］
以下、本発明の第１実施形態として、ブラインドの構成について説明する。
なお、以下の各図面においては、各構成要素を見やすくするため、構成要素によって寸法の縮尺を異ならせて示すことがある。
【００３２】
図１は、第１実施形態のブラインドの外観を示す斜視図である。図１におけるブラインドの上下方向をＺ方向、左右方向をＸ方向、前後方向をＹ方向とする。図２は、第１実施形態のブラインドを側方から見た図である。
【００３３】
本実施形態におけるブラインド（採光装置）１は、図１に示すように、互いに間隔を空けて水平方向（Ｘ方向）に平行に並ぶ複数のスラット２と、複数のスラット２を鉛直方向（Ｚ方向）に吊り下げ自在に支持する支持機構３と、を主として構成されている。ブラインド１では、複数のスラット２を昇降自在に支持すると共に、複数のスラット２を傾動自在に支持している。
【００３４】
複数のスラット２は、図１及び図２に示すように、採光性を有する複数の採光スラット４により構成される採光領域５と、採光領域５の下方に位置して、遮光性を有する複数の遮光スラット６により構成される遮光領域７とを有している。以下の説明において、採光スラット４と遮光スラット６とを特に区別しない場合は、スラット２としてまとめて扱うものとする。
【００３５】
図３Ａ及び図３Ｂは、採光領域を構成する採光スラットの概略構成を示す図であって、図３Ａは正面図、図３Ｂは、図３ＡのＡ−Ａ’線に沿う断面図である。
【００３６】
採光領域５を構成する採光スラット４は、図３Ａ、図３Ｂに示すように、一方向に延在するスラット本体８と、スラット本体８の一面に設けられた採光シート(採光部材)１０と、を備える。採光スラット４の長手方向における長さＬは凡そ１０００ｍｍ、短手方向における長さ（スラット幅）Ｗ１は凡そ２５ｍｍであって、厚みＴは１ｍｍである。
【００３７】
スラット本体８は、光透過性を有する長尺板状の透明基材からなる。
採光シート１０は、図３Ａに示すように、長手方向（Ｘ方向）に垂直な断面（Ａ−Ａ’）において矩形状を呈する基材４１と、基材４１の第１面４１ａに設けられた光透過性を有する複数の採光部４２と、複数の採光部４２の間に設けられた空隙部４３と、を備える。
【００３８】
基材４１は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材４１の全光線透過率は、ＪＩＳ  Ｋ７３６１−１の規定で９０％以上が好ましい。これにより、十分な透明性を得ることができる。
【００３９】
採光部４２は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部４２の全光線透過率は、ＪＩＳ  Ｋ７３６１−１の規定で９０％以上が好ましい。これにより、十分な透明性を得ることができる。
【００４０】
採光スラット４を構成する各採光部４２は、基材４１の長手方向（Ｘ方向）に延在し、且つ、基材４１Ａの短手方向（Ｙ方向）に並んで設けられている。採光部４２は、断面六角形状のプリズム体を構成している。なお、採光部４２の形状は、断面六角形状に限られず、断面五角形状あるいは断面三角形状、マルチテーパー形状であってもよく、特に限定されない。これにより、図４Ａに示すように、窓ガラスを透過した太陽光が、採光部４２に入射すると、採光部４２内で反射して、斜め上方側に向かって出射する。
【００４１】
ここで、複数の採光部４２の各間には、空気（空隙部４３）が存在しているが、この間に他の低屈折率材料が充填されていてもよい。しかしながら、採光部４２と空隙部４３との界面の屈折率差は、外部にいかなる低屈折率材料が存在する場合よりも空気が存在する場合に最大となる。したがって、空気が存在する場合は、図４Ｂに示すように、スネル（Ｓｎｅｌｌ）の法則より、採光部４２に入射した光のうち反射面４ｂ又は反射面４ｃで全反射する光の臨界角が最も小さくなる。これにより、反射面４ｂ又は反射面４ｃで全反射される光の入射角の範囲が最も広くなることから、採光部４２に入射した光を基材４１の第２面４１ｂ（図４Ａ）側へと効率良く導くことができる。結果として、採光部４２に入射した光の損失が抑えられ、基材４１の他面から出射される光の輝度を高めることができる。
【００４２】
基材４１の屈折率と採光部４２の屈折率とは略同等であることが望ましい。例えば、基材４１の屈折率と採光部４２の屈折率とが大きく異なる場合、光が採光部４２から基材４１に入射したときに、これら採光部４２と基材４１との界面で不要な光の屈折や反射が生じることがある。この場合、所望の採光特性が得られない、輝度が低下するなどの不具合が生じる虞があるからである。
【００４３】
（採光部の角度比）
図５は、各採光スラットにおける採光部の傾斜角度を示す図である。
図１に示した採光領域５は、図５に示すように、採光方向（射出方向）が異なる３種類の採光スラット４Ａ，４Ｂ，４Ｃにより構成され、各採光スラット４Ａ，４Ｂ，４Ｃが鉛直方向（Ｚ方向）にこの順で繰り返し配列されている。
【００４４】
採光スラット４Ａ，４Ｂ，４Ｃは、複数の採光部４２の延在方向がそれぞれ異なる採光シート１０Ａ，１０Ｂ，１０Ｃをそれぞれ備えている。
具体的に、採光スラット４Ａを構成する採光シート１０Ａにおける複数の採光部（第３の採光部）４２ａは、基材（第１の基材）４１Ａの延在方向に沿う端辺４１ｄに平行してその長手方向（Ｘ方向）に延在し、且つ、基材４１Ａの短手方向（Ｙ方向）に並んで設けられている。つまり、上記端辺４１ｄに対する採光部４２ａの傾斜角度は０°である。
【００４５】
採光スラット４Ｂの採光シート１０Ｂにおける複数の採光部（第１の採光部）４２ｂは、基材（第１の基材）４１Ｂの端辺４１ｄに対して第１の角度θ１で傾斜して一方向に延在し、その延在方向に交差する方向へ並んで設けられている。第１の角度θ１は、０°≦θ１≦３０°の範囲内で設定され、本実施形態では、第１の角度θ１が１０°となっている。
【００４６】
採光スラット４Ｃの採光シート１０Ｃにおける複数の採光部（第２の採光部）４２ｃは、基材（第２の基材）４１Ｃの端辺４１ｄに対して第２の角度θ２で傾斜して一方向に延在し、その延在方向に交差する方向へ並んで設けられている。第２の角度θ２は、−３０°≦θ２＜０°の範囲内で設定され、本実施形態では、第２の角度θ２が−１０°となっている。
【００４７】
なお、本実施形態では、第１の角度θ１が＋１０°の採光部４２ｂを有する基材４１Ｂと、第２の角度θ２が−１０°の採光部４２ｃを有する基材４１Ｃと、を備えているが、採光部の傾斜角度（角度θ１、角度θ２）が異なる別の基材を複数ずつ備えた構成としてもよい。例えば、採光部４２が＋１０°、＋２０°の角度θ１でそれぞれ傾斜する２種類の採光シートと、採光部４２の傾斜角度が０°の採光シートと、採光部４２が−１０°、−２０°の角度θ２でそれぞれ傾斜する２種類の採光シートと、を備えた、計５種類の採光シートを備えた構成としてもよい。用いる採光シートの種類や数は上記に限られず、６種類以上あるいは５種類未満であってもよい。採光部４２の傾斜角度がさらに異なる採光シートを備えてもよい。
【００４８】
各採光スラット４Ａ，４Ｂ，４Ｃにおける採光部４２ａ，４２ｂ，４２ｃの角度比の関係は、０°：１０°：−１０°＝１：１：１である。なお、上述した各採光部４２ａ，４２ｂ，４２ｃの角度比の関係は一例であって、適宜変更可能である。
【００４９】
また、本実施形態では、各採光スラット４Ｂ，４Ｃの採光部４２ｂ及び採光部４２ｃが、これらの配列方向（図１に示すＺ方向）に交差する方向に対して対称的に傾斜しているが、採光部４２ａを介して採光部４２ｂ及び採光部４２ｃの傾斜角度が非対称的であっても構わない。
【００５０】
図１に戻り、遮光領域７を構成する遮光スラット６は、遮光性を有する長尺板状の遮光用基材１１からなる。遮光用基材１１は、いわゆるブラインド用のスラットとして一般的に使用されているものであればよく、例えば、金属製や木製、樹脂製のものを挙げることができる。また、遮光用基材１１の表面に塗装等を施したものを挙げることができる。
【００５１】
遮光領域７を構成する遮光スラット６は、すべてが遮光性の高いものからなる必要はない。例えば、遮光領域７を構成する遮光スラット６の一部は、光拡散性のスラットや着色された光透過性を有する着色スラットにより構成されていてもよい。このように遮光スラット６の全部または一部を光拡散性のスラットや着色スラットとすることにより、完全に外光を遮光するスラットよりも室内の明るさを向上させることができる。
【００５２】
また、室内に居る人の視線やパソコンモニターに過度なグレア光が入ることもなく、快適な室内環境が得られる。さらに、屋外から室内を覗き見される心配もなく、室内に居る人のプライバシーも確保される。
【００５３】
支持機構３は、鉛直方向（複数のスラット２の短手方向）に平行に並ぶ複数のラダーコード１２と、複数のラダーコード１２の上端部を支持する固定ボックス１３と、複数のラダーコード１２の下端部に取り付けられる昇降バー１４とを備えている。
【００５４】
図６Ａ，図６Ｂは、ブラインド１の要部を拡大した斜視図であり、図６Ａは、各スラット２の間を開いた状態を示し、図６Ｂは、各スラット２の間を閉じた状態を示す。
【００５５】
ラダーコード１２は、複数のスラット２の中央部を挟んだ左右の両側に一対並んで配置されている。各ラダーコード１２は、図６Ａ，図６Ｂに示すように、互いに平行に並ぶ前後一対の縦コード１５ａ，１５ｂと、縦コード１５ａ，１５ｂの間に掛け渡された上下一対の横コード１６ａ，１６ｂと、を有し、且つ、横コード１６ａ，１６ｂが縦コード１５ａ，１５ｂの長手方向（鉛直方向）に等間隔に並んで配置された構成を有している。
各スラット２は、縦コード１５ａ，１５ｂと横コード１６ａ，１６ｂとの各間に挿入された状態で配置されている。
【００５６】
図１に示すように、固定ボックス１３は、互いに平行に並ぶ複数のスラット２の最上部に位置して、これら複数のスラット２と平行に並んで配置されている。一方、昇降バー１４は、互いに平行に並ぶ複数のスラット２の最下部に位置して、これら複数のスラット２と平行に並んで配置されている。各ラダーコード１２を構成する縦コード１５ａ，１５ｂは、昇降バー１４の自重により鉛直下向きに引っ張られた状態で、固定ボックス１３より垂下されている。
【００５７】
支持機構３は、複数のスラット２を昇降操作するための昇降操作部１７と、複数のスラット２を傾動操作するための傾動操作部１８と、を備えている。
【００５８】
昇降操作部１７は、図１及び図６Ａ，図６Ｂに示すように、複数の昇降コード１９を有している。複数の昇降コード１９は、それぞれラダーコード１２を構成する縦コード１５ａ，１５ｂと平行に並んで配置されている。また、複数の昇降コード１９は、各スラット２に形成された孔部２０を貫通した状態で、その下端部が昇降バー１４に取り付けられている。
【００５９】
複数の昇降コード１９は、その上端側が固定ボックス１３の内部で引き回されて、固定ボックス１３の一方側に設けられた窓部２１から引き出されている。窓部２１から引き出された昇降コード１９は、操作コード２２の一端と連結されている。操作コード２２の他端は、昇降バー１４の一端部に取り付けられている。
【００６０】
昇降操作部１７では、昇降バー１４が最下部に位置する状態から、操作コード２２を引っ張ることによって、昇降コード１９が固定ボックス１３の内側へと引き込まれる。これにより、複数のスラット２が下部側から順に昇降バー１４の上に重なり合いながら、昇降バー１４と共に上昇する。昇降コード１９は、窓部２１の内側に設けられたストッパー（図示せず。）により固定される。これにより、昇降バー１４を任意の高さ位置で固定することができる。逆に、ストッパーによる昇降コード１９の固定を解除することによって、昇降バー１４を自重により降下させることができる。これにより、再び昇降バー１４を最下部に位置させることができる。
【００６１】
傾動操作部１８は、図１に示すように、固定ボックス１３の一方側に操作レバー２３を有している。操作レバー２３は、軸回りに回動自在に取り付けられている。傾動操作部１８では、操作レバー２３を軸回りに回動させることによって、図６Ａに示すラダーコード１２を構成する縦コード１５ａ，１５ｂを互いに逆向きに上下方向に移動操作することができる。これにより、図６Ａに示す各スラット２の間を開いた状態と、図６Ｂに示す各スラット２の間を閉じた状態との間で、複数のスラット２を互いに同期させながら傾動させることができる。
【００６２】
以上のような構成を有するブラインド１は、窓ガラス等の上部から吊り下げられた状態で、この窓ガラスの内面に複数のスラット２を対向させた状態で配置される。また、採光領域５は、各採光スラット４の採光部４２側を窓ガラスに対向させた状態で配置される。
【００６３】
ここで、図７に示す部屋モデル１０００を用いてブラインド１の採光領域５及び遮光領域７の機能について説明する。なお、図７は、ブラインド１が設置された部屋モデル１０００の一例を示す模式図である。図８は、ブラインドの採光領域及び遮光領域の機能を説明するための斜視図である。図９は、採光スラットによる採光機能を説明するための図である。
【００６４】
部屋モデル１０００は、例えばブラインド１のオフィスでの使用を想定したモデルである。具体的に、図７に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光ＬＢが斜め上方から入射する場合を模している。ブラインド１は、窓ガラス１００３の内面に対向した状態で配置されている。
【００６５】
部屋モデル１０００では、室内１００６の高さ寸法（天井１００１から床１００２までの寸法）Ｈ１を２．７ｍとし、窓ガラス１００３の縦寸法Ｈ２を天井１００１から１．８ｍとし、採光領域５の縦寸法Ｈ３を天井１００１から０．６ｍとし、室内１００６の奥行き寸法（手前の側壁１００４から奥の側壁１００５までの寸法）Ｎを１６ｍとしている。
【００６６】
部屋モデル１０００では、室内１００６の中の方に椅子に座っている人Ｍａと、室内１００６の奥の方に床１００２に立っている人Ｍｂとがいる。椅子に座っている人Ｍａの眼の高さＨａは、床１００２から０．８ｍとし、床１００２に立っている人Ｍｂの眼の高さＨｂは、床１００２から１．８ｍとしている。
【００６７】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として窓ガラス１００３を通して屋外の光ＬＢが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００６８】
採光領域５では、図８及び図９に示すように、各採光スラット４の一面に対して斜め上方から内部に入射した光ＬＢを、各採光スラット４の他面から外部へと斜め上方に向けて出射する。具体的に、各採光スラット４では、図９に示すように、採光スラット４に入射した光が採光部４２内で反射した後、天井１００１（図７）に向かう光ＬＢとして、基材４１の第２面４１ｂから出射される。
【００６９】
次に、窓ガラスに直接貼り付けるタイプの従来の採光シートを使用した場合と、本発明の一態様にかかる上記ブラインドを使用した場合と、におけるグレア光の発生状態について述べる。
【００７０】
先ず、従来の採光シートを使用した場合について述べる。
図１０は、窓ガラス１００３に貼り付けるタイプの従来の採光シート１０１による室内１００６への採光状態を示す図であって、天井側から見た図である。図１１Ａは、従来の採光シートから射出される光の拡散状態（グレア光の発生状態）を示す図であって、室内側から見た図である。図１１Ｂは、図１１ＡのＢ−Ｂ’線に沿う断面図である。
【００７１】
図１０に示すように、窓ガラス１００３に直接貼り付けるタイプの従来の採光シート１０１は、窓ガラス１００３の左右方向に延在する複数の採光部１０４を有しており（図１１Ａ）、これらが窓ガラス１００３の上下方向に配列されている（図１１Ｂ）。
このような従来の採光シート１０１に入射した光は、複数の採光部１０４における微細構造によって、これら各採光部１０４の延在方向に交差する方向、つまり窓ガラス１００３の上下方向へ拡散されて室内１００６へと射出される。このとき、採光部１０４の延在方向には殆ど拡散されないため、グレア光は太陽と室内に居る人の目線とを結んだ位置で上下方向に引き伸ばされる。このような採光シート１０１の特性により、グレア光は１本の縦線となって現れて室内１００６に居る人に認識されてしまう。室内１００６に居る人の位置によって太陽との位置関係が変わるため、採光シート１０１上でグレアが現れる場所は変わってくるが常に認識されてしまう。このようなグレア光は、室内１００６に居る人にとっては不快なものとなっていた。
【００７２】
次に、本発明の一態様に係るブラインドを使用した場合について述べる。
図１２は、本発明の一態様に係るブラインドが設置された室内への採光状態を示す図であって、天井側から見た図である。図１３は、本発明の一態様に係るブラインドから射出される光の拡散状態（グレア光の発生状態）を示す図であって、室内側から見た図である。
【００７３】
図１２に示すように、本発明の一態様に係るブラインド１は窓ガラス１００３近傍の天井等に設置される。上述したように、図１に示したブラインド１は、窓ガラス１００３の左右方向に延在する複数のスラット２を有しており、これらが窓ガラス１００３の上下方向に配列されている。ブラインド１を構成する多数のスラット２のうち、採光領域５を構成している３種類の採光スラット４Ａ，４Ｂ，４Ｃ（図１３）に入射した光は、各採光スラット４Ａ，４Ｂ，４Ｃの微細構造により、室内の左右方向でそれぞれ異なった領域へ射出される。
【００７４】
図１３に示すように、採光スラット４Ａ，４Ｂ，４Ｃでは、平面視における各採光部４２ａ，４２ｂ，４２ｃの延在方向（端辺に対する傾斜角度）が互いに異なっている。光は各採光部４２ａ，４２ｂ，４２ｃの延在方向には拡散されず、各採光部４２ａ，４２ｂ，４２ｃの配列方向に拡散される。
【００７５】
このため、採光部４２ａの傾斜角度が０°の採光スラット４Ａにおいては窓ガラス１００３の上下方向に光が拡散される。一方、採光部４２ｂの傾斜角度が１０°の採光スラット４Ｂにおいては、傾斜した採光部４２ｂの延在方向に交差する方向、つまり窓ガラス１００３の上下方向に対して＋１０°傾斜した角度方向へ光が引き伸ばされる。他方、採光部４２ｃの傾斜角度が−１０°の採光スラット４Ｃにおいては、傾斜した採光部４２ｃの延在方向に交差する方向、つまり窓ガラス１００３の上下方向に対して−１０°傾斜した角度方向へ光が引き伸ばされる。
【００７６】
図１２に示すように、室内１００６に入射する太陽光のうち、上述したブラインド１の採光領域５に入射した光は、３種類の採光スラット４（採光スラット４Ａ，４Ｂ，４Ｃ：図１３）における各微細構造によって、窓ガラス１００３の左右方向においてそれぞれ異なる方向に射出される。つまり、採光スラット４Ａからは室内１００６の奥側へ向けて光が射出され、採光スラット４Ｂからは窓ガラス１００３の左右方向一方に位置する側壁側へ向けて光が射出され、採光スラット４Ｃからは窓ガラス１００３の左右方向他方に位置する側壁側へ向けて光が射出される。このように、採光スラット４の延在方向に対して互いに異なる方向へ傾斜した採光部４２ｂ、４２ｃを有する採光スラット４Ｂ，４Ｃでは、光がそれぞれ所定の方向へ傾いて射出されるため、拡散板を備えることなく、部屋の左右方向へ射出される光を増やすことができる。
【００７７】
上述したように、採光スラット４Ａだけで構成するのではなく、本実施形態のブラインド１のように、採光スラット４の延在方向に対して所定の角度で傾斜した採光部４２ｂ、４２ｃをそれぞれ有する採光スラット４Ｂ，４Ｃを混在させることによって、室内１００６側から窓を見たときに、ぎらつく光の直線の位置が採光スラット４ごとに変わる。このため、室内１００６に居る人の位置によっては直接目に入るグレア光が少なくなる効果が期待できる。
【００７８】
（採光スラットの変形例）
ここで、採光スラットの変形例について説明する。
図１４Ａ〜図１４Ｄは、採光スラットの変形例を示す断面図であって、基材の形状がそれぞれ異なっている。
図１４Ａに示すように、基材４６は、長手方向に垂直な断面において屈曲もしくは湾曲した形状を有する。基材４６は、第１面４１ａに第１の領域４１Ａａを有する第１部分Ａ１と、第１面４１ａに第２の領域４１Ａｂを有する第２部分Ａ２からなる。基材４６は、複数の採光部４２が設けられた第１部分Ａ１と、採光部４２が設けられていない第２部分Ａ２との境界で、基材４６の長手方向に平行な中心線に沿って折り曲げられている。
基材４６を構成する第１部分Ａ１と第２部分Ａ２のなす角度θは、第１の領域４１Ａａに形成される採光部４２の形状に応じて適宜設定される。
【００７９】
図１４Ａでは、採光部４２を窓ガラス側に向けて形成したが、これに限らない。採光部４２は、窓ガラス１００３に対して垂直になる面を含む第１の領域４１Ａａに形成されればよいため、図１４Ｂに示すように、採光部４２を室内側に向けて形成してもよい。この場合、採光部４２が集光しないように適宜、採光部４２と空隙部４３の屈折率差を調整することが好ましい。なお、この場合、採光部４２が設けられた第１面４１ａは、図１４Ａの場合と反対側の面となる。
また、屈曲した基材ではなく、図１４Ｃに示すように一端側が湾曲した基材４７を用いてもよい。
【００８０】
さらに、図１４Ｄに示すように、フィルムの一面側に複数の採光部を形成した採光シート４８を、一部を切欠いた溝部４９Ａを有する基材４９に組み込んで構成した採光スラットとしてもよい。このとき、採光部側が窓側に向くように採光シート４８を設置してもよいし、採光部４２側が室内側に向くように採光シート４８を設置してもよい。
【００８１】
図１５Ａ、図１５Ｂは、採光スラットの他の変形例を示す断面図であって、光拡散機能が別途付与された採光スラットの構造を示す図である。
図１５Ａに示す採光スラットのように、スラット本体８の一面８ａ側に採光シート１０を設けるとともに、他面８ｂ側に光拡散部材２６を設けた構成としてもよい。光拡散部材２６としては、例えば、数百〜数μｍ程度の球状の微粒子を樹脂中に分散させた光拡散層を基材に形成した等方拡散部材が挙げることができる。採光シート１０が基材４１の端辺４１ｄに対して傾斜した採光部４２を有する場合は、採光部４２の傾きによって窓の左右方向への光拡散効果が得られるため、等方拡散構造を付与してもよい。あるいは、窓の左右方向へより光を拡散させたい場合には、レンチキュラーレンズ等の異方性光拡散構造を付与してもよい。
なお、図１５Ｂに示すように、光拡散部材２６側を窓ガラスに向けて設置してもよい。
【００８２】
［第２実施形態］
次に、本発明の第２実施形態として、ロールスクリーンの構成について説明する。
図１６は、第２実施形態のロールスクリーン（採光装置）の全体構成を示す斜視図である。図１７は、第２実施形態のロールスクリーンの全体構成を示す側面図である。図１８Ａ、図１８Ｂは、第２実施形態の採光スラットの構成を示す図である。
【００８３】
以下に示す本実施形態のロールスクリーン３０における採光スラット４の基本構成は、上記第１実施形態と略同様である。よって、以下の説明では、異なる個所について詳しく説明し、共通な箇所の説明は省略する。また、説明に用いる各図面において、図１〜図８と共通の構成要素には同一の符号を付すものとする。
【００８４】
本実施形態におけるロールスクリーン（採光装置）３０は、図１６及び図１７に示すように、採光スクリーン３２と、採光スクリーン３２を巻き取り自在に支持する巻取機構３３と、を備えている。
【００８５】
巻取機構３３は、採光スクリーン３２の上端部に沿って取り付けられた巻芯３４と、採光スクリーン３２の下端部に沿って取り付けられた下パイプ３５と、採光スクリーン３２の下端部中央に取り付けられた引張りコード３６と、を備えている。
【００８６】
採光スクリーン３２は、上述した３種類の複数の採光スラット（採光部材）４（４Ａ，４Ｂ，４Ｃ）と、これら複数の採光スラット４Ａ，４Ｂ，４Ｃを連結する一対のラダーコード１２，１２と、を備えて構成されている。複数の採光スラット４は、上下方向において、採光スラット４Ｃ，４Ａ，４Ｂの順で繰り返し配置され、長手方向の２カ所部分がラダーコード１２，１２によって連結されている。
【００８７】
各採光スラット４は、図１８Ａ、図１８Ｂに示すように、長手方向（Ｘ方向）における長さＬが凡そ１０００ｍｍ、厚みＴは１ｍｍである。本実施形態における採光スラット４は、先の実施形態と比べて狭い幅を有している。具体的にスラット幅（短手方向（Ｙ方向）における長さ）Ｗ２は、凡そ６ｍｍである。
【００８８】
巻取機構３３は、プルコード式として、採光スクリーン３２を引っ張り出した位置で固定させたり、引っ張り出した位置から更に引張りコード３６を引っ張ることで、固定を解除して採光スクリーン３２を巻芯３４に自動的に巻き取らせたりすることが可能である。
なお、巻取機構３３については、このようなプルコード式に限らず、巻芯３４をチェーンで回転させるチェーン式の巻取機構や、巻芯３４をモータにより回転させる自動式の巻取機構などであってもよい。
【００８９】
以上のような構成を有するロールスクリーン３０は、窓ガラスの上部に巻芯３４を固定した状態で、この巻芯３４に連結された採光スクリーン３２を引張りコード３６で引っ張り出しながら、採光スクリーン３２の採光部側を窓ガラスの内面に対向させた状態で使用される。
【００９０】
本実施形態のロールスクリーン３０によれば、採光スラット４のスラット幅Ｗ２を先の実施形態よりも狭い構成にすることができるため、各採光スラット４からそれぞれ射出されるグレア光の強度を小さくすることができる。これにより、一つ一つの採光スラット４からの輝点が小さくなり、室内に居る人が感じる眩しさを緩和することができる。
【００９１】
［第３実施形態］
次に、本発明の第３実施形態として、ロールスクリーン（採光装置）について説明する。
図１９は、第３実施形態のロールスクリーン（採光装置）の全体構成を示す斜視図である。図２０Ａは、第３実施形態のロールスクリーンの全体構成を示す側面図であって、図２０Ｂは、図２０Ａ中の一点鎖線の丸印で囲んだ部分の拡大断面図である。
【００９２】
以下に示す本実施形態のロールスクリーンにおける採光部材の基本構成は、上記第１実施形態と略同様である。よって、以下の説明では、異なる個所について詳しく説明し、共通な箇所の説明は省略する。また、説明に用いる各図面において、図１〜図８と共通の構成要素には同一の符号を付すものとする。
【００９３】
本実施形態におけるロールスクリーン（採光装置）５０は、図１９に示すように、採光スクリーン５２と、採光スクリーン５２を巻き取り自在に支持する巻取機構３３と、を備えている。
本実施形態の採光スクリーン５２は、巻芯３４に一端側が接続された光透過性を有するスクリーン本体５３と、スクリーン本体５３の一面５３ａ側に設けられた複数の採光シート（採光部材）１０と、を備えて構成されている。スクリーン本体５３の一面５３ａには、種類の異なる採光シート１０を配置するための各領域が設定されている。
【００９４】
スクリーン本体５３としては、透明フィルムの他に、布やデザインフィルム等を用いてもよい。また、ＵＶ吸収剤あるいは赤外線吸収剤が含まれている基材を用いてもよい。
【００９５】
複数の採光シート１０は、図２０Ａ、図２０Ｂに示すように、それぞれ異なる光特性を有する採光シート１０Ａ，１０Ｂ，１０Ｃであって、上下方向に採光シート１０Ｃ，１０Ａ，１０Ｂの順で配列され、一面５３ａ上に設定された上記領域（第１領域、第２領域、第３領域）Ｒ１０Ａ，Ｒ１０Ｂ，Ｒ１０Ｃに各々貼り付けられている。各採光シート１０Ｃ，１０Ａ，１０Ｂは、スクリーン本体５３の一面５３ａに対して不図示の接着材等を介して貼り合わされている。
【００９６】
採光シート１０Ｃ，１０Ａ，１０Ｂは、長手方向における長さが凡そ１０００ｍｍ、短手方向における長さが凡そ６ｍｍであって、厚みは０．３ｍｍである。
【００９７】
以上のような構成を有するロールスクリーン５０は、窓ガラスの上部に巻芯３４を固定した状態で、この巻芯３４に連結された採光スクリーン５２を引張りコード３６で引っ張り出しながら、採光シート１０側を窓ガラスの内面に対向させた状態で使用される。
【００９８】
本実施形態のロールスクリーン５０によれば、各採光シート１０のシート幅（短手方向の長さ）を、第１実施形態よりも狭い構成にすることができるため、各採光シート１０から射出されるグレア光の強度を小さくすることができる。これにより、一つ一つの採光シート１０からの輝点が小さくなり、室内に居る人が感じる眩しさを緩和することができる。
【００９９】
［第４実施形態］
次に、本発明の第４実施形態として、採光パネルについて説明する。
図２１は、第４実施形態の採光パネル（採光装置）の全体構成を示す斜視図である。図２２Ａは第４実施形態の採光パネル本体の概略構成を示す正面図であり、図２２Ｂは、図２２ＡのＣ−Ｃ’線に沿う断面図である。
【０１００】
以下に示す本実施形態の採光パネルにおける採光部材の基本構成は、上記第１実施形態と略同様である。よって、以下の説明では、異なる個所について詳しく説明し、共通な箇所の説明は省略する。また、説明に用いる各図面において、図１〜図８と共通の構成要素には同一の符号を付すものとする。
【０１０１】
図２１に示すように、本実施形態における採光パネル（採光装置）６０は、採光パネル本体６１と、採光パネル本体６１の外周を支持するフレーム６２と、を備えている。
フレーム６２は、平面視矩形状を呈する枠部材からなり、採光パネル本体６１の外周部分が差し込まれる不図示の溝部を有する。フレーム６２は、アルミニウム合金、又は樹脂などからなる。
【０１０２】
図２２Ａ，図２２Ｂに示すように、採光パネル本体６１は、平面視矩形状の透明基材６３と、透明基材６３の一面６３ａ側に設けられた複数の採光シート１０（採光シート１０Ａ，１０Ｂ，１０Ｃ）と、を有している。透明基材６３としては、ガラスや透明樹脂基板などが用いられる。
【０１０３】
採光シート１０のシート幅（短手方向長さ）は２５ｍｍであるが、これに限らない。透明基材６３に対する貼り合わせ作業が簡単にできる大きさであればよい。
【０１０４】
採光部４２の延在方向が互いに異なる複数の採光シート１０Ａ，１０Ｂ，１０Ｃを透明基材６３に多数貼り合わせることによって、各採光シート１０から射出されるグレア光を部屋の左右方向へ拡散させることができるとともに、各採光シート１０における輝点を小さくすることができる。
【０１０５】
本実施形態における採光パネル６０は、窓枠に直接組み込んで使用してもよいし、窓ガラスの周囲の壁面に対して固定してもよい。あるいは、窓ガラス近傍の室内天井から吊り下げられていてもよい。
【０１０６】
［採光スラットの変形例］
次に、採光スラットの変形例として、図２３Ａ及び図２３Ｂに示すような採光スラットの構成について説明する。
図２３Ａは、ブラインドを構成する変形例の採光スラットの概略構成を示す平面図、図２３Ｂは、図２３Ａの断面図である。
以下に示す採光スラットに用いられる採光部材の基本構成は、上記第１実施形態と略同様である。よって、以下の説明では、異なる個所について詳しく説明し、共通な箇所の説明は省略する。また、説明に用いる各図面において、図１〜図８と共通の構成要素には同一の符号を付すものとする。
【０１０７】
図２３Ａ，図２３Ｂに示すように、本実施形態における採光スラット（採光部材）２４は、スラット本体８と、スラット本体８の一面８ａ側に設けられた複数の採光シート１０Ａ，１０Ｂ，１０Ｃと、を備えて構成されている。
本実施形態では、３種類の採光シート１０Ａ，１０Ｂ，１０Ｃが一つのスラット本体８上にそれぞれ１枚ずつタイリングされている。
【０１０８】
本実施形態における採光スラット２４は、長手方向における長さＬが凡そ１０００ｍｍ、短手方向における長さＷ１が凡そ２５ｍｍであって、厚みＴは１ｍｍである。採光シート１０Ａ，１０Ｂ，１０Ｃのそれぞれの長手方向長さＬ２は、採光スラット２４の大きさに応じて適宜設定され、各々が等しい寸法となっている。ここでは、各長手方向長さＬ２が、３３０ｍｍ程度となっている。
【０１０９】
図２３Ａに示すように、採光シート１０Ａ，１０Ｂ，１０Ｃのうち、複数の採光部４２の長手方向長さが等しく互いに平行に配列された採光シート１０Ａを、採光スラット２４の長手方向中央に配置し、その両側に採光シート１０Ｂ，１０Ｃを配置した。ここで、採光シート１０Ｂ，１０Ｃをタイリングする際、各々における各採光部４２が、採光スラット２４の長手方向両端側へいくに従って上端２４ａ側へ向かって傾斜するような配置とすることが好ましい。
【０１１０】
このように、１つのスラット本体８上に３種類の採光シート１０Ａ，１０Ｂ，１０Ｃをタイリングすることによって、採光スラット２４の長手方向外側に向かって拡がるように光が射出され、窓の左右方向へ射出光を効率よく分散させることが可能となる。
【０１１１】
なお、本実施形態では、１つの採光スラット２４に３種類の採光シート１０を備えた構成について述べたが、これに限らず、２種類の採光シート１０を貼り合わせた構成としてもよい。スラット本体８上に貼り合わせる採光シート１０の組み合わせは適宜設定可能である。
【０１１２】
また、ブラインドを構成する際、上下方向で隣り合う採光スラット２４どうしが、異なる種類の採光シート１０を有していることが望ましい。これにより、採光シート１０毎に生じるグレア光が分散されるため、輝点が小さくなる。
【０１１３】
また、３種類の採光シート１０を貼り合わせた採光スラット２４と、２種類の採光シート１０を貼り合わせた採光スラット２４と、１種類のみの採光シート１０を貼り合わせた採光スラット２４と、を混在させてブラインドを構成してもよい。
【０１１４】
また、スラット本体８上に貼り合わせる採光シート１０Ａ，１０Ｂ，１０Ｃの大きさは互いに等しくてもよく、例えば、長手方向における長さが、それぞれ異なっていてもよい。
【０１１５】
[採光装置の変形例］
次に、本発明の一態様の採光装置の変形例として、図２４Ａ及び図２４Ｂに示すような採光パネルの構成について説明する。
図２４Ａは、採光パネルの概略構成を示す平面図であって、図２４Ｂは、図２４ＡのＥ−Ｅ’線に沿う断面図である。図２５は、比較例として、上下方向に長さを有する採光部材を複数タイリングした際の平面図である。
【０１１６】
以下に示す本実施形態の採光パネルの基本構成は、上記第４実施形態と略同様である。
よって、以下の説明では、異なる個所について詳しく説明し、共通な箇所の説明は省略する。また、説明に用いる各図面において、図２１〜図２２Ｂと共通の構成要素には同一の符号を付すものとする。
【０１１７】
図２４Ａ及び図２４Ｂに示すように、変形例における採光パネル（採光装置）２５は、透明基材６３の一面６３ａ上に３種類の採光シート１０Ａ，１０Ｂ，１０Ｃが、上下左右にそれぞれ複数枚ずつタイリングされて構成されている。各採光シート１０Ａ，１０Ｂ，１０Ｃは、透明基材６３上にランダムに配置されている。採光シート１０Ａ，１０Ｂ，１０Ｃの大きさは、長手方向長さが凡そ５００ｍｍ以上であり、短手方向長さが凡そ２５ｍｍである。採光シート１０Ａ，１０Ｂ，１０Ｃの長手方向長さは、透明基材６３上におけるタイリング位置によってそれぞれ異なっている。
【０１１８】
これら複数の採光シート１０Ａ，１０Ｂ，１０Ｃは、それぞれの長手方向が透明基材６３の長手方向と平行になるようにタイリングされている。ここで、透明基材６３の長手方向で隣り合う採光シート１０どうしの境界ｂが、透明基材６３の短手方向で一致しないようにする。
【０１１９】
本実施形態の構成によれば、各種の採光シート１０がそれぞれランダムな配置とされており、各々の長手方向が透明基材６３の長手方向に沿っているため、各採光シート１０において上下方向に引き伸ばされるグレア光（輝点）を小さくすることができる。つまり、同じ方向に延在する複数の採光部４２が上下方向に僅かしか存在せず、グレア光が上下方向に大きく引き伸ばされることがない。
【０１２０】
よって、一つの透明基材６３に多数の採光シート１０を設ける場合には、各採光シート１０の長手方向を透明基材６３の長手方向に平行にした状態でタイリングすることによって、眩しさを大幅に抑制することができる。
【０１２１】
なお、本実施形態では、透明基材６３上において各採光シート１０Ａ，１０Ｂ，１０Ｃがランダムに配置されているが、これに限られず、規則的に配置されていても構わない。
【０１２２】
また、上述した変形例における採光シート１０Ａ，１０Ｂ，１０Ｃのタイリング構成については、第４実施形態の採光パネルのみに限定されず、第２実施形態及び第３実施形態における各ロールスクリーンに対しても適宜応用が可能である。また、第１実施形態における採光スラットに対しても適宜応用が可能である。
【０１２３】
なお、図２５に示す採光スラット２７ように、採光シート１０Ａ，１０Ｂ，１０Ｃが、各々の長手方向を透明基材６３の短手方向に平行にした状態でタイリングされていてもよい。この場合であっても、複数の採光部４２がスラットの長手方向に平行して設けられた従来の採光スラットに比べれば、グレア光を複数個所に分散させることができるため、グレア光の強度を弱めることができる。
【０１２４】
［第５実施形態］
次に、本発明の第５実施形態の採光装置について説明する。
図２６Ａは、第５実施形態の採光装置の概略構成を示す正面図であり、図２６Ｂは、第５実施形態の採光装置を室内の窓に設置した場合の採光イメージ図である。
【０１２５】
以下に示す本実施形態の採光装置における採光部材の基本構成は、上記第４実施形態と略同様である。よって、以下の説明では、異なる個所について詳しく説明し、共通な箇所の説明は省略する。また、説明に用いる各図面において、図２１〜図２２Ｂと共通の構成要素には同一の符号を付すものとする。
【０１２６】
図２６Ａに示すように、本実施形態における採光装置７０は、２種類の採光シート１０Ａ，１０Ｂを備えて構成されている。採光シート１０Ａは、複数の採光部４２が採光シートの延在方向に平行して延在している。採光シート１０Ｂは、複数の採光部４２が採光シートの延在方向に対して第１の角度θ１で傾斜している。これら採光シート１０Ａ，１０Ｂは、採光装置７０の上下方向へ交互に繰り返し配置されている。
【０１２７】
採光シート１０Ａの上下にはそれぞれ同じ採光シート１０Ｂ，１０Ｂが配置されているため、各採光シート１０Ｂからは、採光シート１０Ａからの射出光に対して特定の方向へ光が射出されることになる。
【０１２８】
例えば、図２６Ｂに示すように、本実施形態の採光装置７０を西向きの窓の内側に設置した場合、日中、南側から入射した光ＬＢ１は、採光装置７０（特に、採光シート１０Ｂ）において特定方向へ屈折されて室内の右壁部（北）側へ射出される。また、南西側から入射した光ＬＢ２は、採光装置７０（特に、採光シート１０Ｂ）において特定方向へ屈折されて室内奥の壁部（東）側へ射出される。さらに、西側から入射した光ＬＢ３は、採光装置（特に、採光シート１０Ｂ）７０において特定方向へ屈折されて室内の左壁部（南）側へ射出される。
【０１２９】
図２７は、第５実施形態の採光装置の変形例を示す図である。
図２７に示す採光装置のように、採光部４２の傾斜角度が互いに異なる複数種類の採光シート１０Ｂを備えていてもよい。ここでは、４種類の採光シート１０Ｂ（１）、１０Ｂ（２）、１０Ｂ（３）、１０Ｂ（４）を備えた例を挙げている。
採光シート１０Ｂ（１）は、複数の採光部４２が採光シートの延在方向に対して第１の角度θ１＝＋１０°で傾斜している。
採光シート１０Ｂ（２）は、複数の採光部４２が採光シートの延在方向に対して第１の角度θ１＝＋２０°で傾斜している。
採光シート１０Ｂ（３）は、複数の採光部４２が採光シートの延在方向に対して第１の角度θ１＝＋５°で傾斜している。
採光シート１０Ｂ（４）は、複数の採光部４２が採光シートの延在方向に対して第１の角度θ１＝＋１０°で傾斜している。
【０１３０】
このように、採光部４２が採光シートの延在方向に平行して延在した採光シート１０Ａが混在していない構成とすることも可能である。
【０１３１】
なお、用いる採光シート１０Ｂの種類の数や、採光シート１０Ｂ同士における採光部４２の傾斜角度θ１は適宜変更が可能である。なお、各々の採光部４２が互いに異なる傾斜角度θ２で傾斜する、複数種類の採光シート１０Ｃのみで構成しても構わない。
【０１３２】
図２８Ａは、従来の採光装置の構成を示す正面図であって、図２８Ｂは、従来の採光装置を室内の窓に設置した場合の採光イメージ図である。
一方、図２８Ａに示すように、採光シート１０Ａだけで構成された採光装置９０の場合は、各採光シート１０Ａの各採光部４２の傾きが採光シート１０Ａの端辺に対して平行（傾斜角度θが０°）であるため、入射光に対して射出光がほぼ直線的に射出されることになる。
【０１３３】
つまり、図２８Ｂに示すように、南側から採光装置９０に入射した光ＬＢ１は、各採光シート１０Ａを透過して室内の右壁部（北）側へと射出される。また、南西側から入射した光ＬＢ２は、採光シート１０Ａを透過して室内奥の右壁部（北）側へ射出される。
さらに、西側から入射した光ＬＢ３は、各採光シート１０Ａを透過して室内奥の壁部（東）側へ射出される。
【０１３４】
このように、採光シート１０Ａのみで構成されている採光装置９０よりも、採光シート１０Ａと採光シート１０Ｂとを混在させた本実施形態の採光装置７０の方が、室内の左右方向へ光を効率よく拡散させて射出させることができる。
【０１３５】
また、本実施形態では、採光シート１０Ａ及び採光シート１０Ｂの２種類で構成したことにより、採光シート１０Ａの上下に位置する採光シート１０Ｂにおける多数の採光部４２の傾斜方向が一定となり、所定の方向へ光を射出させることが可能となる。このように、採光シート１０Ａと採光シート１０Ｂとを混在させて採光装置７０を構成することによって、採光シート１０Ａだけで構成された従来の採光装置９０よりも、室内の奥側へより多くの光を届けることが可能となる。
【０１３６】
なお、採光装置を構成する採光シートの各種組み合わせは上述したものに限られない。
例えば、採光装置を設置する窓の向きに応じて、組み合わせる採光シートの種類を変更してもよい。例えば、採光シート１０Ａと採光シート１０Ｃとによって採光装置を構成してもよいし、採光シート１０Ｂと採光シート１０Ｃとによって採光装置を構成してもよい。
本実施形態では、西向きの窓に設置される採光装置について述べたが、採光シートの組み合せによって、各方位の窓に適した採光装置を構成することが可能である。
【０１３７】
図２９Ａは、第５実施形態の変形例を示す図であり、図２９Ｂは、変形例としての採光装置を東向きの窓に設置した場合の採光イメージ図である。
図２９Ａ、図２９Ｂに示すように、一例として、採光シート１０Ａと採光シート１０Ｃを用いることで、東向きの窓に適した採光装置８０を構成することができる。この場合、上下方向に採光シート１０Ａ，１０Ｃを交互に繰り返し配置する。
【０１３８】
日中、南側から入射した光ＬＢ１は、採光装置８０（特に、採光シート１０Ｃ）において特定方向へ屈折されて室内の左壁部（北）側へ射出される。また、東南側から入射した光ＬＢ２は、採光装置８０（特に、採光シート１０Ｃ）において特定方向へ屈折されて室内奥の壁部（西）側へ射出される。さらに、東側から入射した光ＬＢ３は、採光装置（特に、採光シート１０Ｃ）８０において特定方向へ屈折されて室内の右壁部（南）側へ射出される。
【０１３９】
また、他の構成例として、採光部４２の傾斜角度が互いに異なる複数種類の採光シートを用いて採光装置を構成してもよい。例えば、各々の採光部４２の傾きが０°、＋５°、＋１０°、＋１５°、＋２０°とされた５種類の採光シートにより採光装置を構成してもよい。採光シートの種類の数は５種類に限られず、６種類以上でも５種類未満であってもよい。なお、採光部４２の傾斜角度がマイナス側であってもよい。
また、複数種類の採光シートの配列順は、角度順に配列してもよいし、ランダムな配列であってもよい。
【０１４０】
また、上述した本実施形態における採光パネルの構成については、上述したブラインド、ロールスクリーン、採光パネルのいずれの実施形態に対しても適宜応用が可能である。
【０１４１】
［採光シートの製造方法］
次に、採光シートの製造方法について述べる。
図３０Ａ，図３０Ｂは、採光シート１０Ａの製造方法を説明するための図である。
図３１Ａ，図３１Ｂ，図３１Ｃは、採光シート１０Ｂ，１０Ｃの製造方法を説明するための図である。
【０１４２】
本実施形態における採光シート１０Ａは、図３０Ａに示すように、ロール・トゥ・ロール法を用いて製造された原反ロール１２１を、巻取ローラー１２２から巻き出して採光シート形成領域Ｒ毎に切断することによって得たものである。そのため、図３０Ｂに示すように、巻取ローラー１２２から巻き出された採光シート形成領域Ｒが、採光シート１０Ａの長手方向における長さＬ１０Ａに対応する。採光シート形成領域Ｒの大きさによっては、原反ロール１２１のロール幅Ｗ１２１の方向に複数の採光シート形成領域Ｒを設定し、一度に複数の採光シート１０Ａを切り出すことが可能である。
【０１４３】
また、図３０Ｃに示すように、原反ロール１２１の長さ方向に沿って採光部４２が形成されていることから、切断後の採光シート１０Ａの長手方向に採光部４２が延在することになる。
【０１４４】
採光シート１０Ｂ，１０Ｃは、採光シート１０Ａのときと同じ原反ロール１２１において、切り出し方向をそれぞれ変えることで製造することが可能である。具体的には、原反ロール１２１の巻取ローラー１２２から巻き出して、巻出し方向に対して斜め方向（θ１、θ２）にそれぞれ延在する採光シート形成領域Ｒ１あるいは採光シート形成領域Ｒ２毎に切り出すことによって得られる。
【０１４５】
原反ロール１２１の長さ方向に沿って採光部４２が形成されていることから、採光シート１０Ｂを製造する際には、図３１Ａに示すように、採光シート形成領域Ｒ１を原反ロール１２１の端辺１２１ａから第１の角度θ１で傾斜させて設定する。採光シート形成領域Ｒ１の長手方向長さ、つまり採光シート１０Ｂの長手方向長さＬ１０Ｂは、下記の式（１）によって得られる。
【０１４６】
採光シート１０Ｃを製造する際には、図３１Ｂに示すように、採光シート形成領域Ｒ２を原反ロール１２１の端辺１２１ａから第２の角度θ２で傾斜させて設定する。採光シート形成領域Ｒ２の長手方向長さ、つまり採光シート１０Ｃの長手方向長さＬ１０Ｃは、下記の式（２）によって得られる。
【０１４７】
Ｌ＝（Ｒ−Ｂｃｏｓθ）／Ｓｉｎθ  …（１）
Ｌ＝（Ｒ−Ｂｃｏｓ（−θ））／Ｓｉｎ（−θ）  …（２）
【０１４８】
このようにして、図３１Ｃに示すように、傾斜方向が異なる採光部４２を備えた採光シート１０Ｂ，１０Ｃをそれぞれ製造することができる。
【０１４９】
上記製造方法によれば、採光シート１０の大きさ、具体的には窓の左右方向に沿う横幅を自在に調整することができる。そのため、窓の左右方向における採光装置の大型化の際には、原反ロール１２１の切り出し大きさを変えることによって、様々な大きさの採光シート１０を作成することが可能である。
【０１５０】
図３２は、採光シート１０Ｂにおける採光形状の傾き（°）と、長手方向長さ（ｍｍ）との関係を示すグラフである。
ここでは、原反ロール１４１のロール幅Ｗを３００ｍｍとしたとき、原反ロール１４１から斜めに切り出すことのできる採光シート１０Ｂの大きさと、採光部４２の傾斜角度と、の関係について述べる。
【０１５１】
図３２に示すように、採光シート１０Ｂの幅（短手方向長さ）Ｗが、６ｍｍ、２５ｍｍ、１００ｍｍ、２００ｍｍと長くなる程、採光シート１０Ｂ，１０Ｃの長手方向長さＬが短くなる。
採光形状の傾斜角度によって、採光シート１０Ｂの長手方向長さを変える方が好ましい。採光部の角度が大きい場合は、採光シート１０Ｂの長手方向長さＬを短くし、採光部の角度が小さい場合は、採光シート１０Ｂの長手方向長さＬを長くする。
採光部の傾斜角度が異なる採光シートを複数種類用意し、これらを貼り合わせると各採光シートの継ぎ目がばらばらになるため、境界部分が目立ちにくい。
【０１５２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１５３】
例えば、微細形状が異なる種類の採光スラットあるいは採光シートどうしを上下方向で隣り合うように配列させることによって、上下方向に引き延ばされるグレア光を小さくすることができる。
【０１５４】
また、端辺４１ｄに平行する採光部４２ａを有する基材４１Ａと、端辺４１ｄに対して互いに異なる所定の角度で傾斜する採光部を備えた複数の基材と、を備えた構成としてもよい。
つまり、先の実施形態では、第１の角度θ１（＋１０°）で傾斜する採光部４２ｂを有する基材４１Ｂ、第２の角度θ２（−１０°）で傾斜する採光部４２ｃを有する基材４１Ｃ、をそれぞれ１種類ずつ備えた構成としたが、例えばθ１が、＋５°、＋１０°、＋１５°、＋２０°とされた採光部をそれぞれ有する複数種類の基材を備えた構成としてもよい。あるいは、角度θ１が＋２０°、＋１０°、角度θ２が−１０°、−２０°とされた採光部をそれぞれ有する複数種類の基材を備えた構成としてもよい。さらに、いずれの構成においても、端辺４１ｄに平行する採光部４２ａを有する基材４１Ａを含んだ構成としてもよい。
また、複数種類の基材の配列順に関しても特に限定はなく、採光部の角度順に配列してもよいし、角度に関係なくランダムな配列としてもよい。
【０１５５】
［採光システム］
図３３は、採光装置および照明調光システムを備えた部屋モデル２０００であって、図３４のＪ−Ｊ’線に沿う断面図である。図３４は、部屋モデル２０００の天井を示す平面図である。
【０１５６】
部屋モデル２０００において、外光が導入される部屋２００３の天井２００３ａを構成する天井材は、高い光反射性を有していてもよい。図３３および図３４に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１５７】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１５８】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１５９】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１６０】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１６１】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１６２】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１６３】
部屋２００３の窓２００２には、上部側に採光装置２０１０が設置され、下部側に日射調整装置２００８が設置されている。ここでは、日射調整装置２００８として、ブラインドが設置されているが、これに限定されない。
【０１６４】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１６５】
図３３および図３４に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）および奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１６６】
室内照明装置２００７は、室内照明器具（室内照明具）２００７ａと、明るさ検出部２００７ｂと、制御部２００７ｃと、を備え、室内照明器具２００７ａに明るさ検出部２００７ｂおよび制御部２００７ｃが一体化されて構成されたものである。
【０１６７】
室内照明装置２００７は、室内照明器具２００７ａおよび明るさ検出部２００７ｂをそれぞれ複数ずつ備えていてもよい。ただし、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００７ｂによって、室内に置かれた机２００５の机上面２００５ａの照度を検出する。
【０１６８】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【産業上の利用可能性】
【０１６９】
本発明のいくつかの態様は、特定方向に強いグレア光が射出されるのを抑制することが必要な採光部材、採光部材の製造方法、採光装置などに適用することができる。
【符号の説明】
【０１７０】
１…ブラインド（採光装置）、２…スラット、３…支持機構、４，２４，２５…採光スラット（採光部材）、８ａ…一面、１０…採光シート（採光部材）、Ｒ１０Ａ…第１領域、Ｒ１０Ｂ…第２領域、Ｒ１０Ｃ…第３領域、３０，５０…ロールスクリーン（採光装置）、３２，５２…採光スクリーン、３３…巻取機構、４１，４１Ａ，４６，４７，４９…基材、４１Ａ…基材（第１の基材）、４１Ｂ…基材（第１の基材）、４１Ｃ…基材（第２の基材）、４１ａ，４１ｂ…面、４１ｄ，１２１ａ…端辺、４２，４２ａ，４２ｂ，４２ｃ，１０４…採光部、４２ａ…採光部（第３の採光部）、４２ｂ…採光部（第１の採光部）、４２ｃ…採光部（第２の採光部）、４３…空隙部、６０…採光パネル（採光装置）、６２…フレーム、７０…採光フィルム（採光装置）、θ１…第１の角度、θ２…第２の角度、ＬＢ，ＬＢ１，ＬＢ２，ＬＢ３…光、１２１，１４１…原反ロール、２０１０…採光装置
【図１】
2017061554.tif 000003
【図２】
2017061554.tif 000004
【図３Ａ】
2017061554.tif 000005
【図３Ｂ】
2017061554.tif 000006
【図４Ａ】
2017061554.tif 000007
【図４Ｂ】
2017061554.tif 000008
【図５】
2017061554.tif 000009
【図６Ａ】
2017061554.tif 000010
【図６Ｂ】
2017061554.tif 000011
【図７】
2017061554.tif 000012
【図８】
2017061554.tif 000013
【図９】
2017061554.tif 000014
【図１０】
2017061554.tif 000015
【図１１Ａ】
2017061554.tif 000016
【図１１Ｂ】
2017061554.tif 000017
【図１２】
2017061554.tif 000018
【図１３】
2017061554.tif 000019
【図１４Ａ】
2017061554.tif 000020
【図１４Ｂ】
2017061554.tif 000021
【図１４Ｃ】
2017061554.tif 000022
【図１４Ｄ】
2017061554.tif 000023
【図１５Ａ】
2017061554.tif 000024
【図１５Ｂ】
2017061554.tif 000025
【図１６】
2017061554.tif 000026
【図１７】
2017061554.tif 000027
【図１８Ａ】
2017061554.tif 000028
【図１８Ｂ】
2017061554.tif 000029
【図１９】
2017061554.tif 000030
【図２０Ａ】
2017061554.tif 000031
【図２０Ｂ】
2017061554.tif 000032
【図２１】
2017061554.tif 000033
【図２２Ａ】
2017061554.tif 000034
【図２２Ｂ】
2017061554.tif 000035
【図２３Ａ】
2017061554.tif 000036
【図２３Ｂ】
2017061554.tif 000037
【図２４Ａ】
2017061554.tif 000038
【図２４Ｂ】
2017061554.tif 000039
【図２５】
2017061554.tif 000040
【図２６Ａ】
2017061554.tif 000041
【図２６Ｂ】
2017061554.tif 000042
【図２７】
2017061554.tif 000043
【図２８Ａ】
2017061554.tif 000044
【図２８Ｂ】
2017061554.tif 000045
【図２９Ａ】
2017061554.tif 000046
【図２９Ｂ】
2017061554.tif 000047
【図３０Ａ】
2017061554.tif 000048
【図３０Ｂ】
2017061554.tif 000049
【図３０Ｃ】
2017061554.tif 000050
【図３１Ａ】
2017061554.tif 000051
【図３１Ｂ】
2017061554.tif 000052
【図３１Ｃ】
2017061554.tif 000053
【図３２】
2017061554.tif 000054
【図３３】
2017061554.tif 000055
【図３４】
2017061554.tif 000056
【国際調査報告】
2017061554.tif 000057
2017061554.tif 000058